(57)【特許請求の範囲】
【請求項１】
表示装置の形成において固体有機電界発光材料を気化させ且つ気化した電界発光材料を層として基板表面上に適用するための熱物理蒸着源であって、
a)気化され得る固体有機電界発光材料を受容する、底壁と複数の側壁とを有する囲いを画定するハウジングであって、その幅がwhであるものを含み；
b)前記ハウジングは、気化した電界発光材料を基板表面に向けて通過せしめるための幅wsの蒸気流出口スリットを画定し且つ導電性部分を有する上板によってさらに画定されており；
c)前記スリットに中心を置き、また前記複数の側壁との間に間隔をあけ、さらに前記上板との間に距離ｍを置いた幅ｂの導電性バフル部材であって、気化した電界発光材料が前記スリットに直接接近しないように且つ電界発光材料粒状物が前記スリットを通過しないように前記スリットを覆う透視線を実質的に提供するバフル部材を含み；
d)前記スリットの縁部から前記バフル部材の縁部を経て側壁に到達する直線投影が、上板との間の間隔が寸法Ｌとなるような位置を当該側壁上で画定し；
e)寸法比wh対wsは1.5〜6.0の範囲内、寸法比Ｌ対wsは２〜６の範囲内、そして寸法比ｍ対Ｌは0.15〜0.40の範囲内にあり；そして
f)前記囲い内の固体有機電界発光材料を気化させるために当該材料に加えるべき熱を発生させるための電位差を前記ハウジングの各種部分に印加することにより、気化した電界発光材料が前記ハウジングの複数の側壁及び上板並びに前記バフル部材の上面で跳ね返り前記スリットを通って前記基板に達する一方、前記電界発光材料粒状物が前記スリットを通過するのを前記バフル部材によって妨げるようにした手段を含む、ことを特徴とする熱物理蒸着源。
【請求項２】
表示装置の形成において固体有機電界発光材料を気化させ且つ気化した電界発光材料を層として基板表面上に適用するための熱物理蒸着源であって、
a)気化され得る固体有機電界発光材料を受容する、底壁と複数の側壁とを有する囲いを画定するハウジングであって、その幅がwhであるものを含み；
b)前記ハウジングは、気化した電界発光材料を基板表面に向けて通過せしめるための幅wsの蒸気流出口スリットを画定し且つ導電性部分を有する上板によってさらに画定されており；
c)前記スリットに中心を置き、また前記複数の側壁との間に間隔をあけ、さらに前記上板との間に距離ｍを置いた幅ｂの導電性バフル部材であって、気化した電界発光材料が前記スリットに直接接近しないように且つ電界発光材料粒状物が前記スリットを通過しないように前記スリットを覆う透視線を実質的に提供するバフル部材を含み；
d)前記スリットの縁部から前記バフル部材の縁部を経て側壁に到達する直線投影が、上板との間の間隔が寸法Ｌとなるような位置を当該側壁上で画定し；
e)寸法比wh対wsは1.5〜6.0の範囲内、寸法比Ｌ対wsは２〜６の範囲内、そして寸法比ｍ対Ｌは0.15〜0.40の範囲内にあり；そして
f)前記上板の導電性部分と前記バフル部材とに電位差を印加して、当該上板とバフル部材が前記囲い内の固体有機電界発光材料に熱を加えて当該材料を気化させることにより、気化した電界発光材料が前記ハウジングの複数の側壁及び上板並びに前記バフル部材の上面で跳ね返り前記スリットを通って前記基板に達する一方、前記電界発光材料粒状物が前記スリットを通過するのを前記バフル部材によって妨げるようにした手段を含む、ことを特徴とする熱物理蒸着源。
【請求項３】
固体の有機正孔輸送性材料、有機電子輸送性材料又は有機発光材料を気化させ且つ気化した電界発光材料を層として基板表面上に適用することにより有機電界発光装置を提供するための熱物理蒸着源であって、
a)気化され得る固体有機電界発光材料を受容する、底壁と複数の側壁とを有する囲いを画定するハウジングであって、その幅がwhであるものを含み；
b)前記ハウジングは、気化した電界発光材料を基板表面に向けて通過せしめるための幅wsの蒸気流出口スリットを画定し且つ導電性部分を有する上板によってさらに画定されており；
c)前記スリットに中心を置き、また前記複数の側壁との間に間隔をあけ、さらに前記上板の導電性部分に電気接続され、その上前記上板との間に距離ｍを置いた幅ｂの導電性バフル部材であって、気化した電界発光材料が前記スリットに直接接近しないように且つ電界発光材料粒状物が前記スリットを通過しないように前記スリットを覆う透視線を実質的に提供するバフル部材を含み；
d)前記スリットの縁部から前記バフル部材の各辺の縁部を経て複数の側壁に到達する直線投影が、上板との間の間隔が寸法Ｌとなるような位置を当該側壁上で画定し；
e)寸法比wh対wsは1.5〜6.0の範囲内、寸法比Ｌ対wsは２〜６の範囲内、そして寸法比ｍ対Ｌは0.15〜0.40の範囲内にあり；そして
f)前記バフル部材に接続されている前記上板の導電性部分に電位差を印加して、当該上板とバフル部材が前記囲い内の固体有機電界発光材料に熱を加えて当該材料を気化させることにより、気化した電界発光材料が前記ハウジングの複数の側壁及び上板並びに前記バフル部材の上面で跳ね返り前記スリットを通って前記基板に達する一方、前記電界発光材料粒状物が前記スリットを通過するのを前記バフル部材によって妨げるようにした手段を含む、ことを特徴とする熱物理蒸着源。
【請求項４】
固体有機電界発光材料を気化させ且つ気化した電界発光材料を層として基板表面上に適用するための熱物理蒸着源であって、
a)気化され得る固体有機電界発光材料を受容する、底壁と複数の側壁とを有する囲いを画定するシリンダー形ハウジングであって、その幅が直径Ｄであるものを含み；
b)前記シリンダー形ハウジングは、気化した電界発光材料を基板表面に向けて通過せしめるための直径ｄの円形蒸気流出口を画定し且つ導電性部分を有する円形上板によってさらに画定されており；
c)前記流出口に中心を置き且つ前記上板との間に距離mcを置いた直径bcの導電性円形バフル部材であって、気化した電界発光材料が前記流出口に直接接近しないように且つ電界発光材料粒状物が前記流出口を通過しないように前記流出口を覆う透視線を実質的に提供するバフル部材を含み；
d)前記流出口の縁部から前記バフル部材の縁部を経て側壁に到達する直線投影が、上板との間の間隔が寸法Lcとなるような位置を当該側壁上で画定し；
e)寸法比Ｄ対ｄは1.5〜6.0の範囲内、寸法比Lc対ｄは２〜６の範囲内、そして寸法比mc対Lcは0.15〜0.40の範囲内にあり；そして
f)前記円形上板の導電性部分と前記円形バフル部材とに電位差を印加して、当該円形上板と円形バフル部材が前記囲い内の固体有機電界発光材料に熱を加えて当該材料を気化させることにより、気化した電界発光材料が前記ハウジングの複数の側壁及び円形上板並びに前記円形バフル部材の上面で跳ね返り前記円形流出口を通って前記基板に達する一方、前記電界発光材料粒状物が前記円形流出口を通過するのを前記円形バフル部材によって妨げるようにした手段を含む、ことを特徴とする熱物理蒸着源。
【発明の詳細な説明】
【０００１】
【発明の属する技術分野】
本発明は、有機電界発光層の熱物理蒸着法に関する。
【０００２】
【従来の技術】
熱物理蒸着法は、蒸着源の容器又はハウジングに入れられた材料を気化温度まで加熱し、その蒸気が蒸着源から移動して被覆されるべき基板の上で凝縮することにより基板を被覆する周知の技法である。この方法は、気化されるべき材料を保持している蒸着源と被覆されるべき支持体との両方を、1.33×10-5〜1.33 Pa(10-7〜10-2 Torr)の範囲の圧力レベルにまで排気される容器に入れて実施される場合が多い。このような減圧は、蒸着源の温度は蒸着材料が気化する温度まで上昇するので、蒸着源を構成している材料又は蒸着源に含まれている蒸着材料と容器内部の雰囲気との望ましくない反応を回避する上で有用である。
【０００３】
典型的に、蒸着源は電気抵抗材料でできており、その容器の壁部に電流を流すと当該材料の温度が上昇する。すると、壁部との接触による伝導及び壁部からの輻射線により、内部の蒸着材料が加熱される。典型的には、容器は箱のような形をしており、その開口部から蒸気が基板の方向へ漏れる（流出する）ようになっている。しかしながら、壁部の加熱方法には、容器を包囲するコイルからの輻射、適当なコイルによる容器の誘導加熱、電子衝撃、及び光源からの照射、をはじめとする他の方法も採用されている。
【０００４】
もし、容器又はハウジングが、液漏れがないように材料から製作されるならば、気化が、固体からの昇華によるか、又は固体がまず溶融してできた液体からの蒸発によるかは、何ら問題にはならない。いずれにしても、容器が、石英、セラミック、付形カーボン材料、等のような耐熱性の液漏れしない材料でライニングされ得ること、そしてこのようなライナーが周囲の抵抗加熱装置により加熱されることは、よく知られている。
【０００５】
熱物理蒸着源は、多種多様な材料、例えば、低温有機物、金属又は相当高温の無機化合物からなる層を、気化して基板上に付着させるのに用いられている。有機層を付着させる場合、出発材料は粉末状であることが典型的である。このような有機粉末は、この種の熱気化被覆法に問題をいくつか提起する。第一に、有機物の多くは、比較的複雑な化合物（高分子量）であって結合が比較的弱いため、気化過程中に分解しないように注意しなければならない。次に、粉末形態は、蒸気と共に蒸着源から出てきて基板上に望ましくない塊として付着する未気化電界発光材料の粒子を生ぜしめる可能性がある。このような塊は、基板上に形成された層に含まれる粒状物又は粒子包含物とも一般に呼ばれている。この現象は、粉末形態の表面積が非常に大きいため、水分や揮発性有機物を吸収保持又は吸着保持し、これが加熱時に放出されて、気体や粒状物が蒸着源から基板に向けて噴出する可能性がある点で、さらに一層悪化する。同様の事柄は、気化（蒸発）の前に溶融し、基板表面に向けて液滴を噴出し得る材料にも当てはまる。
【０００６】
これらの望ましくない粒状物又は液滴が、製品、特に、暗い斑点が画像もしくはショートをもたらし、又は開口部が電子装置の破損となり得る、電子用途又は光学用途において許容できない欠陥となる。
【０００７】
このような有機粉末装填物をより均一に加熱し、さらに粒状物や液滴が破裂して基板に到達することがないようにも設計された有機蒸着源の開発に、多大な努力が払われている。蒸気だけが出て行くことを確実にしようと、蒸着源材料と出口との間に、いろいろな設計の複雑なバフリング構造体を設けることが提案されている。例えば、米国特許第3,466,424号及び同第4,401,052号を参照されたい。また、有機蒸着材料と容器の高温部材との接触面積を最大化するために、手の込んだ様々な特徴が蒸着源材料容器の内部に付加されてもいる。例えば、米国特許第2,447,789号及び同第3,271,562号を参照されたい。
【０００８】
【発明が解決しようとする課題】
本発明の目的は、上述した従来技術の蒸着源にまつわる問題を解決する有機電界発光材料用の熱物理蒸着源を提供することにある。
本発明の別の目的は、電界発光材料粒状物が直接出ていかないようにすると同時に蒸気通過量を最大限に高めることができる簡略化されたバフル構造を有する熱物理蒸着源を提供することにある。
本発明のさらに別の目的は、熱慣性が小さい、すなわち蒸着源へのパワー入力の変動に対する温度応答速度が高い、熱物理蒸着源を提供することにある。
【０００９】
【課題を解決するための手段】
これら及びその他の目的は、表示装置の形成において固体有機電界発光材料を気化させ且つ気化した電界発光材料を層として基板表面上に適用するための熱物理蒸着源であって、
a)気化され得る固体有機電界発光材料を受容する、底壁と複数の側壁とを有する囲いを画定するハウジングであって、その幅がwhであるものを含み；
b)前記ハウジングは、気化した電界発光材料を基板表面に向けて通過せしめるための幅wsの蒸気流出口スリットを画定し且つ導電性部分を有する上板によってさらに画定されており；
c)前記スリットに中心を置き、また前記複数の側壁との間に間隔をあけ、さらに前記上板との間に距離ｍを置いた幅ｂの導電性バフル部材であって、気化した電界発光材料が前記スリットに直接接近しないように且つ電界発光材料粒状物が前記スリットを通過しないように前記スリットを覆う透視線を実質的に提供するバフル部材を含み；
d)前記スリットの縁部から前記バフル部材の縁部を経て側壁に到達する直線投影が、上板との間の間隔が寸法Ｌとなるような位置を当該側壁上で画定し；
e)寸法比wh対wsは1.5〜6.0の範囲内、寸法比Ｌ対wsは２〜６の範囲内、そして寸法比ｍ対Ｌは0.15〜0.40の範囲内にあり；そして
f)前記囲い内の固体有機電界発光材料を気化させるために当該材料に加えるべき熱を発生させるための電位差を前記ハウジングの各種部分に印加することにより、気化した電界発光材料が前記ハウジングの複数の側壁及び上板並びに前記バフル部材の上面で跳ね返り前記スリットを通って前記基板に達する一方、前記電界発光材料粒状物が前記スリットを通過するのを前記バフル部材によって妨げるようにした手段を含む、ことを特徴とする熱物理蒸着源によって達成される。
【００１０】
【発明の実施の形態】
図１、図２及び図３に、長方形の熱物理蒸着源１の透視図と断面図を示す。長方形の熱物理蒸着源１は、側壁１２及び１４、端壁１６及び１８並びに底壁１５によって画定される長方形のハウジング１０からなる。ハウジング１０は固体の有機電界発光用蒸着材料４０を初期レベル４２まで含有する。ハウジングは、興味ある固体有機電界発光用蒸着材料を気化させるのに必要な高温に耐えられ且つ付形可能なものであれば、どのような材料でも構築することができる。壁に電流を流した時に、壁に続いてハウジング１０に含まれる有機電界発光用蒸着材料４０が輻射及び伝導により加熱されるに十分な温度にまで壁を抵抗加熱するように、電気抵抗率の比較的高い耐熱金属で壁を製作することができる。このようなハウジング材料は、当業者であれば周知であるが、多くの場合、機械的付形及び溶接がしやすいこと、機械的に丈夫な容器が得られる厚さthにおいて電気抵抗率が有用な範囲をとること、そして、気化に必要な温度において興味ある有機電界発光材料のほとんどに対する化学反応性が限られていることから、タンタルが特に魅力的な材料である。また、これらの壁を、高温誘電体材料、例えば、石英、パイレックスガラス、アルミナ、その他当業者に公知の数あるセラミック材料の１つ、で製作することもできる。特に、固体の有機電界発光用蒸着材料が溶融してから気化する場合には、溶融材料を含有するため、溶接された金属ハウジングよりも、上記の誘電体材料の方が有用であり得る。
【００１１】
長方形熱物理蒸着源１の最後の六番目の壁は、蒸気流出口２２を有する長方形の上板２０である。蒸気流出口２２は、長方形上板２０の平面内においてハウジング１０に関して中心に位置することが典型的である。蒸気流出口の機能は、気化した有機電界発光用蒸着材料をハウジング１０から基板（例えば、図４中の基板１０２）の方向へ漏れされることである。
【００１２】
蒸着材料４０の粒状物又は液滴が流出口を通して基板の方向へ直接出ていくのを遮断するように、長方形の流出口２２の下方に長方形のバフル部材３０の中心を置く。本発明の特徴は、粒状物又は液滴が出ていく危険性が極力抑えられると同時に蒸気が出ていく確率が最大限に引き上げられるように、長方形熱物理蒸着源１と、長方形ハウジング１０と、長方形上板２０と、長方形流出口２２と、長方形バフル部材３０と、そしてバフル部材３０の長方形上板２０からの間隔との相対寸法の大きさを最適化するために、適切な寸法の組合せを選択したことにある。興味ある寸法を図５に示す。
【００１３】
上板２０は電気接続用フランジ２１及び２３を有し、これらを接続用クランプにより電源に接続することができる（図４参照）。図１及び図２に略示したように、上板２０は、少なくともハウジング１０の長辺側壁１２、１４に沿って延びるシールリップ２５、２７を有する。他のシール手段を構築し得ることは理解できよう。例えば、予め成形したセラミックシール（図示なし）をハウジング１０の側壁１２、１４及び端壁１６、１８の各々の上に配置することができ、このようなシールにより上板２０を封止するように係合することができる。
【００１４】
ハウジング１０は幅寸法whを有し、上板２０の蒸気流出口２２は幅寸法wsを有する。図２中の垂直中心線２４で略示したように、蒸気流出口スリット２２はハウジング１０に関して中心に位置している。
【００１５】
長方形バフル部材３０は、バフル支持体３２、３４によって、上板２０から間隔を置かれている。バフル支持体はバフル部材と上板とに対して、スポット溶接、リベット締め、その他の締結手段によって固定することができる。バフル部材３０はバフル端末３６、３８を有し（図３参照）、また、バフル部材３０の構造安定性を確保する特徴、例えば、リブその他の構造設計の形態で構築されたバフルスタビライザー３１、を有することもできる。
【００１６】
バフル部材３０と蒸気流出口２２との位置関係は、バフル部材３０が、有機電界発光用蒸着材料４０の粒状物又は液滴を蒸気流出口２２から噴出させないようにすると同時に、気化する有機電界発光用材料４０の分子がハウジング１０内部のバフル部材３０の周囲を経て最終的に蒸気流出口２２から基板に向けて出ていくことを許容するような関係にある（図４参照）。
【００１７】
上板の電気接続用フランジ２１、２３で電源と電気接続して電流を流すことにより、上板２０とバフル部材３０はどちらも抵抗加熱される。ハウジング１０の少なくとも一部分を加熱したい場合には、ハウジングの壁厚thを、上板２０からの輻射熱に加えて、ハウジング１０の側壁、端壁及び底壁からの電流熱が固体の有機電界発光用蒸着材料４０に付加され得る抵抗加熱通路を提供するように選定する。
熱物理蒸着源１は、その設計が長方形であるため線形蒸着源とも呼ばれる。
【００１８】
本発明の熱物理蒸着源の、特に有機電界発光用蒸着材料４０について使用する場合の重要な特徴は、長方形上板２０と長方形バフル部材３０とからの輻射熱が最上層、例えば、固体有機電界発光材料４０の最上部に位置する初期層４２、を輻射のみによって加熱するため、最上層が固体相から蒸気相へ変化する機会を最多化すると共に、最上位よりも下方に位置する固体有機電界発光材料４０が、固体有機電界発光材料（通常は粉末状である）から発生する吸着気体又は吸収気体が粒状物又は液滴を蒸気流出口２２の方へ上向きに噴出させることになるであろう温度にまで加熱される危険性を極力抑える、ということにある。
【００１９】
図４に、真空容器又は真空室の内部で基板１０２の上に有機電界発光被膜を形成するように作動する熱物理蒸着源を含む物理蒸着装置２００を示す。当該容器又は室は、一般的に、ベース板２０２と、上部板２０４と、真空シール２１０により当該ベース板２０２に係合封止され且つ真空シール２０８により当該上部板２０４に係合封止される室壁２０６とから形成されている。真空ポンプ２２０が、真空弁２２２及びベース板２０２内の吸入排出口２２４を介して1.33×10-5〜1.33 Pa(10-7〜10-2 Torr)の範囲の圧力にまで室内排気を行う。当該圧力は、上部板２０４を貫通して室内に延びている圧力モニター口２６０を有する圧力モニター２６２によって指示される。
【００２０】
熱物理蒸着源１の電気接続フランジ２１及び２３は、それぞれ接続クランプ２４８及び２５８を介して導線２４４及び２５４に、またそれぞれ電力フィードスルー２４６及び２５６並びにそれぞれ導線２４４及び２５４を介して電源２４０に接続されている。導線２４１の途中に電流計２４２を挿入し、電源２４０により供給される調整可能な電圧の関数として熱物理蒸着源１を流れる電流を表示させる。
【００２１】
熱物理蒸着源１は、一般に金属製のベース板２０２に対して、断熱構造体２３０により支持される。この断熱構造体２３０は、真空容器又は真空室の効率的排気を可能ならしめるような構造を有する。
【００２２】
熱物理蒸着源１の上板２０及びバフル部材３０（図１〜３の説明参照）をそこを流れる電流Ｉにより十分に加熱すると、有機電界発光材料の蒸気４４が、ハウジング１０の側壁１２及び１４、上板２０の下側並びにバフル部材３０から屈折した後、蒸気流出口２２を通って出ていく。図中破線で示した有機電界発光材料の蒸気４４は、上板１０４の方向へほぼ上方に向かい、したがって、基板取り付け用ブラケット１０４及び１０６により上部板２０４に保持されている基板１０２の方向へ向かう。特定の特性、例えば、接着性や結晶学的特性、を有する有機電界発光層を形成させるため、基板１０２を、上部板２０４に対してではなく、温度制御できる表面に取り付けることができる、ということも認識される。
【００２３】
有機電界発光材料の蒸気４４は、導線２７２により速度モニター２７４に接続されている蒸着速度モニター要素２７０にも入射する。一般に実施されているように、速度モニター２７４が一定の蒸着速度を示すようになる時間まで基板１０２を覆うため、シャッター（図示なし）を使用することができる。このようなシャッターを開くことにより、基板１０２の上に有機電界発光層が蒸着される。
【００２４】
熱物理蒸着装置２００は、後に図１０を参照して詳述するように、基板上に有機電界発光層を形成し、合わせて有機電界発光装置を提供する上で特に有効であることが判明した。
【００２５】
図５に示した長方形蒸着源の略断面図は、本発明による蒸着源の最適設計を達成する上で重要な各種寸法を説明するものである。第一の近似に対し、熱物理蒸着源の最適設計は、Donald J. Santeler, Donald W. Jones, David H. Holkeboer及びFrank RaganoのVacuum Technology and Space Simulationの第５章「Gas Flow in Components and Systems」(NASA SP-105: Washington, 1966)の第83-121頁に記載されているブロックされた「パイプ」を通る流体の流れ理論の態様を利用して提供され、長方形上板２０、長方形流出口２２、長方形バフル部材３０及び、蒸気流出確率を最大化するための当該バフル部材の長方形上板２０下方での配置、が設計される。第一の近似に対し、上記刊行物の図5.9、第102頁により作業することにより、蒸着源の設計を改良することができる。表１に、ウェブ被覆工程における不安定有機材料の熱物理蒸着に関し、設計変数の異なる複数の熱物理蒸着源による変化の影響を示す。ここで、量「α」は、材料が蒸着源から出ていく確率を表し、この確率が高いほど温度一定では被覆速度が高くなる、すなわち一定の速度を得る場合には蒸着源温度が低くなるため、蒸着源の有機材料が熱分解する危険性も小さくなる。
【００２６】
0004520059.tif 000002
【００２７】
結果は、基板上の被膜が、被膜蒸着速度が低い場合でさえも蒸着源内の固体有機電界発光材料の消耗と共に非常に急速に劣化したものから、被膜蒸着速度が高く固体有機電界発光材料のほぼ全部が消耗した後でさえもまったく劣化しないものまでがあった。円形パイプ形状から長方形蒸着源形状まで適当に外挿した場合に上記理論の有用性を認める際には、上記刊行物が作成された元である最初の文献に戻り、興味ある形状について最適な設計点を画定するために変数のすべてについて変化させてMonte Carlo計算を行うことができる。図５に示した長方形形状から図７及び図８に示した円形形状へ設計変更しても、ほとんど変化はない。
【００２８】
蒸着源のハウジング１０の高さをＨ、当該ハウジングの側壁１２及び１４の間の幅をwh、上板２０の蒸気流出スリット口２２の幅をws、長方形バフル部材３０の幅をｂ、そしてバフル部材３０と上板２０との間の間隔をｍとした場合に、流出口２２の縁部の一方からバフル部材３０の垂直中心線２４に対して同じ側の縁部への直線投影Ｐ（破線で図示）が、上板２０から側壁１２に沿って投影距離Ｌを提供するならば、長方形蒸着源の設計が最適化される。本発明によると、寸法比wh対wsは1.5〜6.0の範囲内、寸法比Ｌ対wsは２〜６の範囲内、そして寸法比ｍ対Ｌは0.15〜0.40の範囲内にすべきであることが定められた。この寸法比wh対wsが2.0〜3.0の範囲内、寸法比Ｌ対wsが3.5〜５の範囲内、そして寸法比ｍ対Ｌが0.25〜0.30の範囲内にあると、一層有効となる。これらの定義の下、長方形蒸着源の好適な寸法は、ｍ/Ｌ=0.25；wh/ws=2.4；Ｌ/ws=４である。
【００２９】
図６に、図１の蒸着源とは異なる長方形熱物理蒸着源の略透視図を示す。相違点は、ハウジング１０が、破線と矢印で略示したように、上板がハウジングと接触配置された時に上板２０の対応する電気接続用フランジ２１および２３と合致する電気接続用フランジ１１及び１３を有している点である。抵抗加熱可能な上板２０の厚さtt並びにハウジング側壁１２、１４及び端壁１６、１８、及びハウジング底壁１５の各厚さth（図２及び図３参照）を適当に選定することにより、上板２０及びバフル部材３０は、なおも固体有機電界発光材料４０を加熱してその気化を制御することができると同時に、ハウジング１０の加熱度が低下することにより、固体有機電界発光材料４０の内部に捕捉されている気体のガス発生を遅らせるべくレベルの偏った(bias-level)加熱を提供することができる。
【００３０】
図７及び図８に、熱物理蒸着源のシリンダー形態様の、それぞれ略透視図及び略断面図を示す。シリンダー形ハウジング７０は、直径Ｄ、高さHc並びにハウジング側壁及び底壁の厚さthを有する。垂直中心線８４上のハウジング７０に関して中心に、円形上板８０から間隔mcを置いて寸法bcを有する円形バフル部材９０が配置されている。円形上板８０は、直径ｄ、厚さttの円形蒸気流出口８２並びに電気接続用フランジ８１及び８３を有する。バフル部材９０は、バフル支持体９４によって上板８０に取り付けられている。
【００３１】
図５を参照して説明した蒸着源の最適設計と同様に、円形蒸気流出口８２の縁部と円形バフル部材９０の縁部との間のシリンダー形ハウジング７０の側壁上への直線投影ｐ（垂直中心線８４に対して同一側にあるもの）が、上板８０からの距離Lcを提供する場合に、最適なシリンダー形蒸着源が構成され得る。シリンダー形蒸着源の場合、実施可能な寸法比Ｄ対ｄは1.5〜6.0、Lc対ｄは２〜６、及びmc対Lcは0.15〜0.40の範囲内である。好適な寸法比Ｄ対ｄは2.0〜3.0、Lc対ｄは3.5〜５、そしてmc対Lcは0.25〜0.30の範囲内である。シリンダー形蒸着源の好適な寸法は、mc/Lc=0.25；Ｄ/ｄ=2.4；Lc/ｄ=４である。
【００３２】
図９に、長方形の蒸着源であって、固体有機電界発光材料（図示なし）の加熱を抵抗加熱された上板２０と取り付けられたバフル部材３０とからの輻射により行い、ハウジング５０の側壁５６、５８（並びに５２及び５４、図示なし）並びに底壁５５の外部表面を、上板とバフル部材とからの輻射の大部分がハウジング５０の内部に保持されるように耐熱性金属鏡材料６０で被覆したものの略断面図を示す。当該蒸着源のハウジングは、吸熱又は伝熱による側壁の加熱を抑えるため、石英で構築されることが好ましい。耐熱性鏡は、輻射線が非導電性ハウジングを透過することによる熱損を抑えるため、ニッケル、タンタル、チタン又はモリブデンの薄層であることができる。当該耐熱性金属鏡材料はハウジング５０の外部表面の層として図示されているが、このような鏡層をハウジング５０の内部表面に沿って適用することも可能である。
【００３３】
同様に、図７及び図８を参照して説明したシリンダー形蒸着源の構成を、石英でできたハウジング７０を有し、そのシリンダー形ハウジングの外部又は内部の表面上に耐熱性鏡材料の薄層を形成させたものにすることも可能である。
【００３４】
図１０に、図４に示した装置２００に類似する物理蒸着装置において本発明により構築された熱物理蒸着源を使用して形成された有機電界発光層を有する有機電界発光装置１００の略断面図を示す。
【００３５】
透光性基板１０２の上に、順に、透光性アノード１１０、有機正孔輸送層１１２、有機発光層１１４、有機電子輸送層１１６及びカソード１１８が形成されている。
【００３６】
有機電界発光（EL）装置の製造に有用な有機電界発光材料は、Tangの米国特許第4,356,423号、VanSlykeらの米国特許第4,539,507号、VanSlykeらの米国特許第4,720,432号、Tangらの米国特許第4,885,211号、Tangらの米国特許第4,769,292号、VanSlykeらの米国特許第5,047,687号、VanSlykeらの米国特許第5,059,862号及びVanSlykeらの米国特許第5,061,617号に記載されているもののような従来の有機EL装置の材料及び好適な層構造の中から選択することができ、本明細書では、これらの開示事項を参照することにより援用する。
【００３７】
基板１０２はガラスか石英であることが好ましい。アノード１１０は、インジウム錫酸化物（ＩＴＯ）でできた導電性且つ透光性の層であることが好ましい。有機正孔輸送層１１２、有機発光層１１４及び有機電子輸送層１１６は、本発明の長方形又はシリンダー形のいずれかの蒸着源から熱物理蒸着することにより形成される。カソード１１８は、適当な金属、同時蒸着金属、又はマグネシウムと銀(Mg:Ag)、LiF:Alその他のような増強型電極構造体の従来の蒸着法により形成される。
【００３８】
装置動作用電源１２０を、導線１２２を介してアノード１１０に、また導線１２４を介してカソード１１８に、それぞれ接続すると、アノード１１０の電位（電圧）がカソード１１８よりも正になる時に有機発光層１１４が発光する。発した光１３０は、破線で示したように、有機発光層１１４を発端とし、透光性アノード１１０と透光性基板１０２を介して外部観察者まで透過する。別の代わりとなるEL装置構造体の有機電界発光層を付着させるために本発明の蒸着源による蒸着法を利用できることは、当業者であれば認識できよう。
【００３９】
【発明の効果】
本発明の特徴は、蒸着源から蒸気が流出口を通して出ていく所望の速度を達成すべく固体有機電界発光材料に適用する加熱レベルを低下させることができ、気化した電界発光材料を、分解の危険性が最も小さい最高速度で、層として基板に適用する有効な方法を提供することである。
本発明の別の特徴は、スリットに対するバフル部材の配置により、電界発光材料の粒状物がスリットを通過することを実質的に防止することである。
本発明のさらに別の特徴は、迅速な熱応答が望まれる場合に、ハウジングの上板とバフル部材とだけに電流を通過させ、実質的に上方からの輻射のみで気化させることにより実現できることである。
【図面の簡単な説明】
【図１】本発明の一態様によるスリット形状の流出口を有する蒸着材料用のハウジングを示す熱物理蒸着源の略透視図である。（この場合、一寸法が長くなっていることから線形蒸着源と呼ばれる。）
【図２】図１中の切断線２−２に沿った蒸着源の横断面図である。
【図３】図１中の切断線３−３に沿った蒸着源の横断面図である。
【図４】図１に示したような蒸着源を、被覆すべき基板を含有する真空容器の中に設置した状態の代表的な概略図である。
【図５】本発明により最適な蒸着源設計において用いられる各種寸法を示した長方形蒸着源の略断面図である。
【図６】蒸着源のすべての壁部を抵抗加熱するための電気接続用フランジを具備する、図１の蒸着源の代わりとなる形状の透視図である。
【図７】本発明の別の態様による、シリンダー形状を有する熱物理蒸着源の略透視図である。
【図８】図７中の切断線８−８に沿ったシリンダー形蒸着源の略断面図であって、本発明により最適な蒸着源設計において用いられる各種寸法を示したものである。
【図９】長方形の蒸着源であって、実質的に加熱を抵抗加熱された上板とバフル部材とからの輻射により行い、側壁及び底壁を非導電性材料で製作し、上板からの輻射の大部分がハウジングの内部に保持されるようにこれらの壁部の外部表面を鏡層で被覆したものの略断面図である。
【図１０】本発明により構築された熱物理蒸着源を使用して形成された有機電界発光層を有する有機電界発光装置の略断面図である。
【符号の説明】
１…長方形熱物理蒸着源
10…長方形ハウジング
11…電気接続用フランジ
12…側壁
13…電気接続用フランジ
14…側壁
15…底壁
16…端壁
18…端壁
20…長方形上板
21…電気接続用フランジ
22…蒸気流出口
23…電気接続用フランジ
24…垂直中心線
25…シールリップ
27…シールリップ
30…長方形バフル部材
31…バフルスタビライザー
32…バフル支持体
34…バフル支持体
36…バフル端末
38…バフル端末
40…固体有機電界発光蒸着材料
42…固体有機電界発光蒸着材料の初期レベル
44…有機電界発光蒸着材料の蒸気
50…非導電性ハウジング
55…非導電性ハウジングの底壁
56…非導電性ハウジングの側壁
58…非導電性ハウジングの側壁
60…耐熱性金属鏡材料の被膜
70…シリンダー形ハウジング
80…円形上板
81…電気接続用フランジ
82…円形蒸気流出口
83…電気接続用フランジ
84…垂直中心線
90…円形バフル部材
94…バフル支持体
100…有機電界発光(EL)装置
102…基板
104…基板取り付け用ブラケット
106…基板取り付け用ブラケット
110…アノード
112…有機正孔輸送層
114…有機発光層
116…有機電子輸送層
118…カソード
120…装置動作電源
122…導線
124…導線
130…放出光
200…物理蒸着装置
202…ベース板
204…上部板
206…室壁
208…真空シール
210…真空シール
220…真空ポンプ
222…真空弁
224…吸入排出口
230…断熱構造体
240…電源
241…導線
242…電流計
244…導線
246…電力フィードスルー
248…接続用クランプ
254…導線
256…電力フィードスルー
258…接続用クランプ
260…圧力モニター口
262…圧力モニター
270…蒸着速度モニター要素
272…導線
274…速度モニター
ｂ…長方形バフル部材の幅
Ｈ…長方形ハウジングの高さ
Ｌ…側壁に沿った上板からの距離
ｍ…バフル部材と上板との間の間隔
ｐ…直線投影
wh…ハウジングの側壁間の幅
ws…蒸気流出口の幅
bc…円形バフル部材の直径
Hc…シリンダー形ハウジングの高さ
Lc…側壁に沿った上板からの距離
mc…円形バフルと円形上板との間の間隔
Ｄ…シリンダー形ハウジングの直径
ｄ…円形蒸気流出口の直径
th…ハウジング側壁の厚さ
tt…上板の厚さ
【図１】
0004520059.tif 000003
【図２】
0004520059.tif 000004
【図３】
0004520059.tif 000005
【図４】
0004520059.tif 000006
【図５】
0004520059.tif 000007
【図６】
0004520059.tif 000008
【図７】
0004520059.tif 000009
【図８】
0004520059.tif 000010
【図９】
0004520059.tif 000011
【図１０】
0004520059.tif 000012